(57)【要約】  【課題】  ２系統の映像圧縮情報の切換動作をスムーズに行う映像伝送装置を提供する。  【解決手段】  第１の映像圧縮器１ｂ−１に接続された第１の送信装置２−１の出力と、第２の映像圧縮器１ｂ−２に接続された第２の送信装置２−２の出力を切換器３で切換える映像伝送装置であって、コントロール部１１を設け、コントロール部からの信号によって、第１の映像圧縮器および第２の映像圧縮器での映像圧縮を同期化するとともに、第１の映像圧縮器および第２の映像圧縮器における映像圧縮情報と時間情報との多重を同期化することを特徴とする。【選択図】  図１
2005341459.tif 000002
【特許請求の範囲】
【請求項１】
第１の映像圧縮器に接続された第１の送信装置の出力と、第２の映像圧縮器に接続された第２の送信装置の出力を切換器で切換える映像伝送装置であって、
コントロール部を設け、該コントロール部からの信号によって、前記第１の映像圧縮器および前記第２の映像圧縮器での映像圧縮を同期化するとともに、前記第１の映像圧縮器および前記第２の映像圧縮器における映像圧縮情報と時間情報との多重を同期化することを特徴とする映像伝送装置。
【請求項２】
第１の映像圧縮器に接続された第１の送信装置の出力と、第２の映像圧縮器に接続された第２の送信装置の出力を切換器で切換える映像伝送装置であって、
前記第１の映像圧縮器および前記第２の映像圧縮器を、入力する映像信号のフレーム情報によって、前記第１の映像圧縮器および前記第２の映像圧縮器での映像圧縮を同期化するとともに、前記第１の映像圧縮器および前記第２の映像圧縮器における映像圧縮情報と時間情報との多重を同期化する映像圧縮器としたことを特徴とする映像伝送装置。
【請求項３】
第１の映像圧縮器に接続された第１の送信装置の出力と、第２の映像圧縮器に接続された第２の送信装置の出力を切換器で切換える映像伝送装置であって、
コントロール部を設け、該コントロール部にて、前記第１の映像圧縮器および前記第２の映像圧縮器のうち選択している側の映像圧縮器での動作に従って、前記第１の映像圧縮器および前記第２の映像圧縮器での映像圧縮を同期化するとともに、前記第１の映像圧縮器および前記第２の映像圧縮器における映像圧縮情報と時間情報との多重を同期化することを特徴とする映像伝送装置。
【発明の詳細な説明】
【技術分野】
【０００１】
本発明は映像伝送装置、特に２系統の映像圧縮情報の切換動作の技術に関する。
【背景技術】
【０００２】
受信基地（例えば山の頂上）に集めた映像素材を、演奏所（例えば放送局）に送り、演奏所側で映像素材を編集して放送する装置を、ＴＳＬ（Transmitter Studio Link）と呼んでいる。
ＴＳＬは番組素材の伝送や、野球中継等の生番組を伝送する重要な装置である。
そのため、ＴＳＬは２４時間３６５日の稼動を要求される。
また無人の場所に設置されるため、高い信頼性と生存性が必要である。
その実現のため、現用系と予備系の２系統の構成が取られる。
【０００３】
図１１は、ＴＳＬの全体構成を示す図である（文献公知発明に係るものではない）。
【０００４】
受信基地（例えば山の頂上）における映像伝送装置として、第１の映像圧縮器(ＥＮＣ１)１−１は、映像信号を圧縮しＴＳ（Transport stream）信号を出力する。第１の映像圧縮器(ＥＮＣ１)１−１に接続された第１の送信装置（ＴＸ１）２−１は、ＴＳ信号を変調してマイクロ波に変換し、電力増幅する。
【０００５】
第２の映像圧縮器(ＥＮＣ２)１−２は、映像信号を圧縮しＴＳ（Transport stream）信号を出力する。第２の映像圧縮器(ＥＮＣ２)１−２に接続された第２の送信装置（ＴＸ２）２−２は、ＴＳ信号を変調してマイクロ波に変換し、電力増幅する。
【０００６】
第１の送信装置（ＴＸ１）２−１と第２の送信装置（ＴＸ２）２−２は、ＳＨＦ切換器３に接続され、ＳＨＦ切換器３は、Ｉａ端子とＩｂ端子に入力された２系統のマイクロ波信号の内、正常な系統を手動もしくは自動で切換出力し、送信用のアンテナ４から送信する。
【０００７】
伝送路５を経由して、演奏所（例えば放送局）における受信用のアンテナ６に届いたマイクロ波信号は、分配器７で２系統に分配される。
【０００８】
１系統の第１の受信装置（ＲＸ１）８−１はマイクロ波信号を受けて復調しＴＳ信号を再生する。第１の受信装置（ＲＸ１）８−１に接続された第１の映像伸張器（ＤＥＣ１）９−１は、ＴＳ信号を伸張し映像信号を出力する。
【０００９】
もう１系統の第２の受信装置（ＲＸ２）８−２はマイクロ波信号を受けて復調しＴＳ信号を再生する。第２の受信装置（ＲＸ２）８−２に接続された第２の映像伸張器（ＤＥＣ２）９−２は、ＴＳ信号を伸張し映像信号を出力する。
【００１０】
第１の映像伸張器（ＤＥＣ１）９−１と第２の映像伸張器（ＤＥＣ２）９−２は、映像切換器（映像  ＳＷ）１０に接続され、映像切換器（映像  ＳＷ）１０は、Ｔｓ１端子とＴｓ２端子に入力された２系統の映像信号の内、正常な系統を手動もしくは自動で切換出力する。
【００１１】
図１２は、従来における映像圧縮器(ＥＮＣ１)１−１の構成を示す図である。従来の映像圧縮器(ＥＮＣ２)１−２の構成も同じである（文献公知発明に係るものではない）。
【００１２】
入力映像Ｖｉｄｅｏは、処理Ｉ，Ｐ，Ｂに応じたＩ，Ｐ，Ｂパケットを発生するＩＰＧ発生器（ＩＰＢ−ＧＥＮ）１−１−１と、入力映像Ｖｉｄｅｏのフレームレートとなる基準２７ＭＨｚのＳＴＣパケットを生成するＳＴＣ発生器（ＳＴＣ−ＧＥＮ）１−１−２へ入力される。
【００１３】
ＩＰＢ発生器（ＩＰＢ−ＧＥＮ）１−１−１の出力Ｉ，Ｐ，Ｂパケットと、ＳＴＣ発生器（ＳＴＣ−ＧＥＮ）１−１−２の出力ＳＴＣパケットは、多重を行う多重器（ＭＵＸ）１−１−３へ入力され、出力ＴＳ１信号を出力する。
【００１４】
図１３は、従来における映像圧縮器(ＥＮＣ１)１−１の動作を示すタイムチャート図である。
【００１５】
図１２のＩＰＢ発生器（ＩＰＢ−ＧＥＮ）１−１−１の映像圧縮処理は、映像の１５フレームを単位とした処理である。ｔ１０時点でＩフレームの処理を行う（Ｉフレーム：１フレーム分の圧縮データで、圧縮率は悪いがデータ量が増えるフレーム）。ｔ２０時点でＰフレームの処理を行う（Ｐフレーム：Ｉフレームとの差分を表したフレーム）。ｔ３０時点からｔ１５０時点でＢフレームの処理を行う（Ｂフレーム：一つ前のパケットとの差分を表したフレーム）。
【００１６】
図１２の多重器（ＭＵＸ）１−１−３の多重（ＭＵＸ）処理は、ＩＰＢ発生器（ＩＰＢ−ＧＥＮ）１−１−１の映像圧縮処理がＩフレームの場合は例えば４パケット分続けたＩパケットとし、次のＰフレームの場合は例えば２パケット分続けたＰパケットとし、次のＢフレームの場合は例えば１パケット分のＰパケットとするように、パケットのデータ量をＩ＞Ｐ＞Ｂと、ＢよりＰ、ＰよりＩが順に多くなるように処理した映像圧縮パケット群を作成する。
【００１７】
一方、図１２のＳＴＣ発生器（ＳＴＣ−ＧＥＮ）１−１−２は、入力映像のフレーム周期をＳＴＣ情報としてパケット化されたＳＴＣパケットを作成して出力する。
【００１８】
このＳＴＣパケットは、図１２の多重器（ＭＵＸ）１−１−３において処理して作成した映像圧縮パケット群に、図１３のｔ１５０の時点で、ＳＴＣパケットを定期的に挿入する。
【００１９】
図１１の２系統のそれぞれの映像圧縮器(ＥＮＣ１)１−１および映像圧縮器(ＥＮＣ２)１−２は、上記処理を個別のタイミングで行う。
【発明の開示】
【発明が解決しようとする課題】
【００２０】
故障やメンテナンス等の場合、２系統のうち選択系統を系統１から系統２へ切換える場合、映像圧縮器(ＥＮＣ１)１−１の出力ＴＳ１信号と映像圧縮器(ＥＮＣ２)１−２の出力ＴＳ２信号は，例えば、図１４に示すように異なる。
【００２１】
そのため、切換を行うと、Ｉ，Ｂ，Ｐパケットの順序や内容が狂い、例えば、図１４のｔ６０の時点で切換を行うと、出力ＴＳ１信号側のＰ情報が一部発生した後、出力ＴＳ２信号側のＢ情報が挿入された後、Ｐ情報に戻る等の狂いが生じる。この結果、映像圧縮器(ＥＮＣ２)１−２からの映像出力は動画状態を維持できず断（フリーズ）となる。
【００２２】
本発明の目的は、２系統の映像圧縮情報の切換動作をスムーズに行う映像伝送装置を提供することにある。
【課題を解決するための手段】
【００２３】
本発明は、第１の映像圧縮器に接続された第１の送信装置の出力と、第２の映像圧縮器に接続された第２の送信装置の出力を切換器で切換える映像伝送装置であって、コントロール部を設け、該コントロール部からの信号によって、前記第１の映像圧縮器および前記第２の映像圧縮器での映像圧縮を同期化するとともに、前記第１の映像圧縮器および前記第２の映像圧縮器における映像圧縮情報と時間情報との多重を同期化することを特徴とする。
【００２４】
また本発明は、第１の映像圧縮器に接続された第１の送信装置の出力と、第２の映像圧縮器に接続された第２の送信装置の出力を切換器で切換える映像伝送装置であって、前記第１の映像圧縮器および前記第２の映像圧縮器を、入力する映像信号のフレーム情報によって、前記第１の映像圧縮器および前記第２の映像圧縮器での映像圧縮を同期化するとともに、前記第１の映像圧縮器および前記第２の映像圧縮器における映像圧縮情報と時間情報との多重を同期化する映像圧縮器としたことを特徴とする。
【００２５】
また本発明は、第１の映像圧縮器に接続された第１の送信装置の出力と、第２の映像圧縮器に接続された第２の送信装置の出力を切換器で切換える映像伝送装置であって、コントロール部を設け、該コントロール部にて、前記第１の映像圧縮器および前記第２の映像圧縮器のうち選択している側の映像圧縮器での動作に従って、前記第１の映像圧縮器および前記第２の映像圧縮器での映像圧縮を同期化するとともに、前記第１の映像圧縮器および前記第２の映像圧縮器における映像圧縮情報と時間情報との多重を同期化することを特徴とする。
【発明の効果】
【００２６】
本発明によれば、２系統の映像圧縮情報の切換動作をスムーズに行う映像伝送装置を得ることができる。
【発明を実施するための最良の形態】
【００２７】
図１は、本発明による映像伝送装置の第１の実施の形態の構成を示す図である。図１の映像伝送装置は、受信基地（例えば山の頂上）に設置される。
【００２８】
第１の映像圧縮器(ＥＮＣ１ｂ)１ｂ−１と第１の送信装置（ＴＸ１）２−１とが接続され、第２の映像圧縮器(ＥＮＣ２ｂ)１ｂ−２と第２の送信装置（ＴＸ２）２−２とが接続され、第１の送信装置（ＴＸ１）２−１と第２の送信装置（ＴＸ２）２−２とがＳＨＦ切換器（ＳＨＦ  ＳＷ）３に接続される構成に、コントロール部（ＣＯＮＴ）１１を追加した構成である。
【００２９】
コントロール部（ＣＯＮＴ）１１は、Ｉフレーム処理を行わせる制御信号Ｐｉと、ＳＴＣパケットを挿入する時間情報である挿入指示信号Ｐｓｔｃとを出力し、映像圧縮器(ＥＮＣ１ｂ)１ｂ−１と映像圧縮器(ＥＮＣ２ｂ)１ｂ−２に対して、制御信号Ｐｉと、ＳＴＣパケットを挿入する指示信号Ｐｓｔｃとを同時に入力する。
【００３０】
図２は、図１における映像圧縮器(ＥＮＣ１ｂ)１ｂ−１の構成を示す図である。図１の映像圧縮器(ＥＮＣ２ｂ)１ｂ−２の構成も同じである。
【００３１】
入力映像Ｖｉｄｅｏは、外部制御可能なＩＰＢ発生器（ＩＰＢ-ＧＥＮ）１ｂ−１−１と、ＳＴＣ発生器（ＳＴＣ−ＧＥＮ）１−１−２へ入力される。
【００３２】
外部制御可能なＩＰＢ発生器（ＩＰＢ-ＧＥＮ）１ｂ−１−１の出力は、外部制御可能な多重器（ＭＵＸ）１ｂ−１−３のＩｉ端子に入力される。ＳＴＣ発生器（ＳＴＣ-ＧＥＮ）１−１−２の出力は、外部制御可能な多重器（ＭＵＸ）１ｂ−１−３のＩｓ端子に入力される。
【００３３】
図１のコントロール部（ＣＯＮＴ）１１出力の制御信号Ｐｉは、外部制御可能な発生器（ＩＰＢ-ＧＥＮ）１ｂ−１−１の制御入力端子に入力される。
図１のコントロール部（ＣＯＮＴ）１１出力の指示信号Ｐｓｔｃは、外部制御可能な多重器（ＭＵＸ）１ｂ−１−３のＣｎｔ端子に入力される。
【００３４】
図３は、図１の２系統の映像圧縮器(ＥＮＣ１ｂ)１ｂ−１および映像圧縮器(ＥＮＣ２ｂ)１ｂ−２の動作を示すタイムチャート図である。
【００３５】
図２の映像圧縮器(ＥＮＣ１ｂ)１ｂ−１における外部制御可能なＩＰＢ発生器（ＩＰＢ-ＧＥＮ）１ｂ−１−１の動作は、例えばｔ１０時点で制御信号Ｐｉのパルスによって、Ｉフレーム処理を行う。以降は、フレーム毎にＰフレーム、Ｂフレームの順で処理を行う。
【００３６】
外部制御可能な多重器（ＭＵＸ）１ｂ−１−３の動作は、例えばｔ１５０時点で挿入指示信号Ｐｓｔｃのパルスによって、ＳＴＣパケットを挿入した出力ＴＳ１信号を作成して出力する。
【００３７】
次に、図１における第１の映像圧縮器(ＥＮＣ１ｂ)１ｂ−１および第２の映像圧縮器(ＥＮＣ２ｂ)１ｂ−２の動作を説明する。
【００３８】
映像圧縮器(ＥＮＣ１ｂ)１ｂ−１は、例えばｔ１０時点で制御信号Ｐｉのパルスによって、Ｉフレーム処理を行う。以降は、フレーム毎にＰフレーム、Ｂフレームの順で処理を行う。そして、ｔ１５０時点で挿入指示信号Ｐｓｔｃのパルスによって、ＳＴＣパケットを挿入した出力ＴＳ１信号を作成して出力する。
【００３９】
映像圧縮器(ＥＮＣ２ｂ)１ｂ−２も、例えばｔ１０時点で制御信号Ｐｉのパルスによって、Ｉフレーム処理を行う。以降は、フレーム毎にＰフレーム、Ｂフレームの順で処理を行う。そして、ｔ１５０時点で挿入指示信号Ｐｓｔｃのパルスによって、ＳＴＣパケットを挿入した出力ＴＳ２信号を作成して出力する。
【００４０】
この結果、２系統の、映像圧縮器(ＥＮＣ１ｂ)１ｂ−１の出力ＴＳ１信号と、映像圧縮器(ＥＮＣ２ｂ)１ｂ−２の出力ＴＳ２信号は、同一なものとなり、２系統の映像圧縮信号の同期化が図れる。
【００４１】
図４は、本発明による映像伝送装置の第２の実施の形態の構成を示す図である。
【００４２】
第１の映像圧縮器(ＥＮＣ１ａ)１ａ−１と第１の送信装置（ＴＸ１）２−１とが接続され、第２の映像圧縮器(ＥＮＣ２ａ)１ａ−２と第２の送信装置（ＴＸ２）２−２とが接続され、第１の送信装置（ＴＸ１）２−１と第２の送信装置（ＴＸ２）２−２とがＳＨＦ切換器（ＳＨＦ  ＳＷ）３に接続される構成である。
【００４３】
図５は、図４における映像圧縮器(ＥＮＣ１ａ)１ａ−１の構成を示す図である。図４の映像圧縮器(ＥＮＣ２ａ)１ａ−２の構成も同じである。
【００４４】
入力映像Ｖｉｄｅｏは、ＩＰＢ発生器（ＩＰＢ-ＧＥＮ）１ｂ−１−１と、ＳＴＣ発生器（ＳＴＣ−ＧＥＮ）１−１−２と、ＳＴ発生器（ＳＴ-ＧＥＮ）１ａ−１―４へ入力される。
【００４５】
ＳＴ発生器（ＳＴ-ＧＥＮ）１ａ−１―４の出力制御信号Ｐｉｇは、ＩＰＢ発生器（ＩＰＢ-ＧＥＮ）１ｂ−１−１の制御入力端子へ入力され、ＩＰＢ発生器（ＩＰＢ-ＧＥＮ）１ｂ−１−１の出力は、多重器（ＭＵＸ）１ｂ−１−３のＩｉ端子に入力される。ＳＴＣ発生器（ＳＴＣ-ＧＥＮ）１−１−２の出力は、多重器（ＭＵＸ）１ｂ−１−３のＩｓ端子に入力される。またＳＴ発生器（ＳＴ-ＧＥＮ）１ａ−１―４の出力挿入指示信号Ｐｓｔｃｇは、多重器（ＭＵＸ）１ｂ−１−３のＣｎｔ端子に入力される。
【００４６】
図６は、図５のＳＴ発生器（ＳＴ-ＧＥＮ）１ａ−１―４の動作を示す図である。
【００４７】
ＳＴ発生器（ＳＴ-ＧＥＮ）１ａ−１―４は、入力された映像Ｖｉｄｅｏ信号のフレーム情報、本実施の形態では入力された映像Ｖｉｄｅｏ信号のフレーム情報中のタイムコード情報によって、制御信号Ｐｉｇと挿入指示信号Ｐｓｔｃｇを作成する。
【００４８】
タイムコード情報の場合、ＳＴ発生器（ＳＴ-ＧＥＮ）１ａ−１―４は、タイムコード情報を読出し、時分秒が全て０となる正時のフレームを基準として、制御信号Ｐｉｇを出力する。以降１５フレーム毎に、制御信号Ｐｉｇを出力する。また１５フレーム目に挿入指示信号Ｐｓｔｃｇを出力する。
【００４９】
なお、時分秒が正時となるまでに相当な時間（数十分間）を要する場合、分秒のみが０となる５分、１０分等を基準に制御信号Ｐｉｇを出力するようにしても良い。
【００５０】
図４における映像圧縮器(ＥＮＣ１ａ)１ａ−１と映像圧縮器(ＥＮＣ２ａ)１ａ−２のそれぞれは、入力映像Ｖｉｄｅｏのタイムコード情報が、正時となる時点までは非同期で動作しているが、タイムコード正時においてそれぞれの制御信号Ｐｉｇが出力し、また１５フレーム目にそれぞれの挿入指示信号Ｐｓｔｃｇを出力するので、それぞれの制御信号Ｐｉｇと挿入指示信号Ｐｓｔｃｇが同期し、２系統の映像圧縮器(ＥＮＣ１ａ)１ａ−１と映像圧縮器(ＥＮＣ２ａ)１ａ−２の動作は同期する。
【００５１】
この結果、２系統の映像圧縮器(ＥＮＣ１ａ)１ａ−１の出力ＴＳ１信号と、映像圧縮器(ＥＮＣ２ａ)１ａ−２の出力ＴＳ２信号は、同一なものとなり、２系統の映像圧縮信号の同期化が図れる。
【００５２】
本実施の形態では入力された映像Ｖｉｄｅｏ信号のフレーム情報中のタイムコード情報によって、制御信号Ｐｉｇと挿入指示信号Ｐｓｔｃｇを作成する場合について説明したが、何もこれに限らず、例えば入力された映像Ｖｉｄｅｏ信号のフレーム情報の変化が所定値を越えた場合に制御信号Ｐｉｇを生成して出力し、該制御信号Ｐｉｇより１５フレーム目に相当する時間後に挿入指示信号Ｐｓｔｃｇを生成して出力するようにしても良い。
【００５３】
図７は、本発明による映像伝送装置の第３の実施の形態の構成を示す図である。
【００５４】
第１の映像圧縮器(ＥＮＣ１ｍ)１ｍ−１と第１の送信装置（ＴＸ１）２−１とが接続され、第２の映像圧縮器(ＥＮＣ２ｍ)１ｍ−２と第２の送信装置（ＴＸ２）２−２とが接続され、第１の送信装置（ＴＸ１）２−１と第２の送信装置（ＴＸ２）２−２とがＳＨＦ切換器（ＳＨＦ  ＳＷ）３に接続される構成に、外部コントロール部（ＣＯＮＴ）１１ｍを追加した構成である。
【００５５】
図８は、図７における映像圧縮器(ＥＮＣ１ｍ)１ｍ−１の構成を示す図である。図７の映像圧縮器(ＥＮＣ２ｍ)１ｍ−２の構成も同じである。
【００５６】
ＩＰＢ発生器（ＩＰＢ-ＧＥＮ）１ｍ−１−１は、図２における外部制御可能なＩＰＢ発生器（ＩＰＢ-ＧＥＮ）１ｂ−１−１に、Ｉ圧縮処理に応じて生じるＴｉ１タイミングパルスを出力する機能を付加したものである。なお制御信号Ｐｉが所定期間入力されない場合、自身で発生するタイミング周期でＩ，Ｐ，Ｂフレームの圧縮処理を行う。
【００５７】
多重器（ＭＵＸ）１ｍ−１−３は、図２における外部制御可能な多重器（ＭＵＸ）１ｂ−１−３に、ＳＴＣパケット挿入の処理に応じて生じるＴｓｔｃタイミングパルスを出力する機能を付加したものである。なお制御信号Ｐｓｔｃが所定期間入力されない場合、自身で発生するタイミング周期でＳＴＣパケットの挿入を行う。
【００５８】
図７において、外部コントロール部（ＣＯＮＴ）１１ｍは、選択信号（ＳＥＬ）が１系統を選択している場合、映像圧縮器(ＥＮＣ１ｍ)１ｍ−１からの、Ｉ圧縮処理に応じて生じるＴｉ１タイミングパルスと、ＳＴＣパケット挿入の処理に応じて生じるＴｓｔｃ１タイミングパルスを、映像圧縮器(ＥＮＣ２ｍ)１ｍ−２への制御信号Ｐｉ２、挿入指示信号Ｐｓｔｃとして渡す。
【００５９】
一方、選択信号（ＳＥＬ）が他系統を選択している場合は、映像圧縮器(ＥＮＣ２ｍ)１ｍ−２からの、Ｉ圧縮処理に応じて生じるＴｉ２タイミングパルスと、ＳＴＣパケット挿入の処理に応じて生じるＴｓｔｃ２タイミングパルスを、映像圧縮器(ＥＮＣ１ｍ)１ｍ−１への制御信号Ｐｉ１、挿入指示信号Ｐｓｔｃ１として渡す。
【００６０】
図９は、図７におけるコントロール部（ＣＯＮＴ）１１ｍの構成を示す図である。コントロール部（ＣＯＮＴ）１１ｍは、第１選択器（ＳＥＬ１）１１ｍ−１と第２選択器（ＳＥＬ２）１１ｍ−２で構成される。
【００６１】
第１選択器（ＳＥＬ１）１１ｍ−１は、Ｃ端子の状態に応じて、入力端子Ａもしくは入力端子Ｂの信号を選択して出力端子Ｏｕｔ２もしくは出力端子Ｏｕｔ１へ出力する。
【００６２】
入力端子Ａには映像圧縮器(ＥＮＣ１ｍ)１ｍ−１からのＴｉ１タイミングパルスとＴｓｔｃ１タイミングパルスが入力される。入力端子Ｂには映像圧縮器(ＥＮＣ２ｍ)１ｍ−２からのＴｉ２タイミングパルスとＴｓｔｃ２タイミングパルスが入力される。
【００６３】
出力端子Ｏｕｔ２は映像圧縮器(ＥＮＣ２ｍ)１ｍ−２への制御信号Ｐｉ２、挿入指示信号Ｐｓｔｃを出力する。出力端子Ｏｕｔ１は映像圧縮器(ＥＮＣ１ｍ)１ｍ−１への制御信号Ｐｉ１、挿入指示信号Ｐｓｔｃ１を出力する。
【００６４】
Ｃ端子がＨｉｇｈの場合は、入力端子Ａへの入力を出力端子Ｏｕｔ２へ出力し、出力端子Ｏｕｔ１への出力はＯＦＦとする。
【００６５】
Ｃ端子がＬｏｗの場合は、入力端子Ｂへの入力を出力端子Ｏｕｔ１へ出力し、出力端子Ｏｕｔ２２への出力はＯＦＦとする。
【００６６】
第２選択器（ＳＥＬ２）１１ｍ−２は、手動モード設定時には、選択信号（ＳＥＬ）を、第１選択器（ＳＥＬ１）１１ｍ−１のＣ端子へ渡す。自動モード設定時には、ＳＨＦ切換器（ＳＨＦ  ＳＷ）からの自動切換状態に応じた選択信号を、第１選択器（ＳＥＬ１）１１ｍ−１のＣ端子へ渡す。
【００６７】
なお、図７における映像圧縮器(ＥＮＣ１ｍ)１ｍ−１、映像圧縮器(ＥＮＣ２ｍ)１ｍ−２は、制御信号Ｐｉ、挿入指示信号Ｐｓｔｃの入力があれば、そのタイミングに従い処理動作を行う。
【００６８】
映像圧縮器(ＥＮＣ１ｍ)１ｍ−１、映像圧縮器(ＥＮＣ２ｍ)１ｍ−２は、制御信号Ｐｉ、挿入指示信号Ｐｓｔｃの入力がなければ、自己のタイミングで処理動作を行う。
【００６９】
図１０は、図７の２系統の映像圧縮器(ＥＮＣ１ｍ)１ｍ−１および映像圧縮器(ＥＮＣ２ｍ)１ｍ−２の動作を示すタイムチャート図である。
【００７０】
手動モード、かつ、電源立ち上げ直後での選択信号ＳＥＬが未確定状態からの動作について説明する。
【００７１】
ｔ４０時点において、選択信号ＳＥＬのレベルが確定したと仮定する。
ｔ４０時点までは、制御信号Ｐｉの入力がないため、第１の映像圧縮器(ＥＮＣ１ｍ)１ｍ−１、第２の映像圧縮器(ＥＮＣ２ｍ)１ｍ−２は、個々のタイミングで処理動作を開始しており、したがって第１の映像圧縮器(ＥＮＣ１ｍ)１ｍ−１の出力Ｔｉ１信号と、第２の映像圧縮器(ＥＮＣ２ｍ)１ｍ−２の出力Ｔｉ２信号は非同期である。
【００７２】
しかし、例えばｔ４０時点で選択信号（ＳＥＬ）レベルがＨｉｇｈとなれば、第１の映像圧縮器(ＥＮＣ１ｍ)１ｍ−１を現用系とする制御が開始される。そして、コントロール部（ＣＯＮＴ）１１ｍからは、Ｔｉ１タイミングパルスとＴｓｔｃ１タイミングパルスが選択され、ｔ１６０時点で、フレーム処理を行わせる制御信号Ｐｉ２として第２の映像圧縮器(ＥＮＣ２ｍ)１ｍ−２に供給されるので、第２の映像圧縮器(ＥＮＣ２ｍ)１ｍ−２はそのタイミングをＩ情報処理とする動作を開始する。
【００７３】
なお、自動モードの場合、ＳＨＦ切換器（ＳＨＦ  ＳＷ）３からの選択信号に応じて、前述の動作が決定される。
【００７４】
この結果、選択されている系統の映像圧縮器の動作が基準となって、両系統の映像圧縮信号の同期化が図られる。
【００７５】
以上説明した本実施の形態によれば、２系統の映像圧縮器Ｃにて作成されるＴＳ信号を同期化することができ、現用と予備のＴＳ信号を同一とすることができるので、２系統の映像圧縮情報の切換動作をスムーズに行う映像伝送装置を得ることができる。
【図面の簡単な説明】
【００７６】
【図１】本発明による映像伝送装置の第１の実施の形態の構成を示す図である。
【図２】図１における映像圧縮器(ＥＮＣ１ｂ)１ｂ−１の構成を示す図である。
【図３】図１の２系統の映像圧縮器(ＥＮＣ１ｂ)１ｂ−１および映像圧縮器(ＥＮＣ２ｂ)１ｂ−２の動作を示すタイムチャート図である。
【図４】本発明による映像伝送装置の第２の実施の形態の構成を示す図である。
【図５】図４における映像圧縮器(ＥＮＣ１ａ)１ａ−１の構成を示す図である。
【図６】図５のＳＴ発生器（ＳＴ-ＧＥＮ）１ａ−１―４の動作を示す図である。
【図７】本発明による映像伝送装置の第３の実施の形態の構成を示す図である。
【図８】図７における映像圧縮器(ＥＮＣ１ｍ)１ｍ−１の構成を示す図である。
【図９】図７におけるコントロール部（ＣＯＮＴ）１１ｍの構成を示す図である。
【図１０】図７の２系統の映像圧縮器(ＥＮＣ１ｍ)１ｍ−１および映像圧縮器(ＥＮＣ２ｍ)１ｍ−２の動作を示すタイムチャート図である。
【図１１】ＴＳＬの全体構成を示す図である。
【図１２】従来における映像圧縮器(ＥＮＣ１)１−１の構成を示す図である。
【図１３】従来における映像圧縮器(ＥＮＣ１)１−１の動作を示すタイムチャート図である。
【図１４】従来における映像圧縮器(ＥＮＣ１)１−１および映像圧縮器(ＥＮＣ)１−２の動作を示すタイムチャート図である。
【符号の説明】
【００７７】
１−１，１ｂ−１，１a−１，１ｍ−１…映像圧縮器（ＥＮＣ）、１−１−１，１ｂ−１−１，１ｍ−１−１…ＩＰＢ発生器（ＩＰＢ  ＧＥＮ）、１−１−２…ＳＴＣ発生器（ＳＴＣ  ＧＥＮ）、１−１−３，１ｂ−１−３，１a−１−３，１ｍ−１−３…多重器（ＭＵＸ）、１a−１−４…ＳＴ発生器（ＳＴ  ＧＥＮ）、１−２，１ｂ−２，１a−２，１ｍ−２…映像圧縮器（ＥＮＣ）、２−１，２−２…送信装置（ＴＸ）、３…ＳＨＦ切換器（ＳＨＦ  ＳＷ）、４…アンテナ、５…伝送路、６…アンテナ、７…分配器、８−１，８−２…受信装置（ＲＸ）、９−１，９−２…映像伸張器（ＤＥＣ）、１０…映像切換器（映像  ＳＷ）、１１，１１ｍ…コントロール部、１１ｍ−１，１１ｍ−２…選択器（ＳＥＬ）。
【図１】
2005341459.tif 000003
【図２】
2005341459.tif 000004
【図３】
2005341459.tif 000005
【図４】
2005341459.tif 000006
【図５】
2005341459.tif 000007
【図６】
2005341459.tif 000008
【図７】
2005341459.tif 000009
【図８】
2005341459.tif 000010
【図９】
2005341459.tif 000011
【図１０】
2005341459.tif 000012
【図１１】
2005341459.tif 000013
【図１２】
2005341459.tif 000014
【図１３】
2005341459.tif 000015
【図１４】
2005341459.tif 000016